(57)【要約】【課題】リボンを挟む少なくとも一方のローラがシーソー機構により傾動可能に支持された構成を有し、カードの表面に保護膜を転写するカード作成装置においてリボンカセットの着脱を容易にする。【解決手段】シーソー機構の被支持体であるフレームローラＦＲの重心をシーソー機構の支点より、リボンｒ３の挿入・引出し側寄りに配置するなどして、少なくともリボンカセットＣの着脱のための両ローラ５，６の乖離時に、リボンｒ３の挿入・引出し側において両ローラ５，６間の距離が大きくなる一定方向にローラを傾動させることとした。【選択図】図２
2005224979.tif 000002
【特許請求の範囲】
【請求項１】
互いに圧接・乖離する２つのローラを備え、そのうち少なくともいずれか一方のローラがシーソー機構により前記圧接・乖離方向に傾動可能に支持され、
着脱自在のリボンカセットが装着されて該リボンカセットから繰り出されるリボンとカードとを重ねて前記両ローラで挟み込むことにより、前記リボン上の保護膜を前記カードの表面へ転写するカード作成装置において、
前記シーソー機構は、少なくともリボンカセットの着脱のための前記両ローラの乖離時に、リボンの前記両ローラ間への挿入及び前記両ローラ間からの引き出しを行う側において前記両ローラ間の距離が大きくなる一定方向にローラを傾動させることを特徴とするカード作成装置。
【請求項２】
互いに圧接・乖離する上下に配置された２つのローラを備え、そのうち少なくとも下側のローラがシーソー機構により前記圧接・乖離方向に傾動可能に支持され、
着脱自在のリボンカセットが装着されて該リボンカセットから繰り出されるリボンとカードとを重ねて前記両ローラで挟み込むことにより、前記リボン上の保護膜を前記カードの表面へ転写するカード作成装置において、
前記シーソー機構が支持する下側のローラを含む被支持体の重心は該シーソー機構の支点よりも、リボンの前記両ローラ間への挿入及び前記両ローラ間からの引き出しを行う側寄りにあることを特徴とするカード作成装置。
【発明の詳細な説明】
【技術分野】
【０００１】
本発明は、リボンを挟む少なくとも一方のローラがシーソー機構により傾動可能に支持された構成を有し、カードの表面に保護膜を転写するカード作成装置に関する。
【背景技術】
【０００２】
従来、ＩＤカードなどのカードを作成するカード作成装置において、カードの印刷面の損傷や変質を防止するために保護膜を印刷面に形成することが広く行われている。
この保護膜をカード表面に形成するカード作成装置としては、保護膜が付設されたリボンをカード上に重ね合わせ、そのリボンを介してそのカードにヒートローラを押圧することによりリボンからカード表面へ保護膜を熱転写するホットスタンプ装置が知られている。
このホットスタンプ装置へのリボンの設置方法としては、２軸を有しリボンが巻回されて収められたカセット（カートリッジやマガジンとも呼ばれる。以下「リボンカセット」という。）を装置本体に装着する方法が多用されている。
【０００３】
良く知られるように、リボンカセットには送出軸と巻取り軸の２軸が設けられている。例えば特許文献１に示されるように、リボンは使用前送出軸に巻回されており、その巻回部分から延出する端部が巻取り軸に取り付けられている。巻取り軸を回転駆動することによりリボンを巻取り軸へと巻取る。送出軸から巻取り軸に移動するリボンをカセット縁部の凹型部に渡し架けて走らせる。この凹型部とリボンとの間にヒートローラを挿入する態様で配置するとともに、リボンを介してヒートローラの反対側にカード背面を支持するバックアップローラを配置する。言い換えれば、ヒートローラを含むローラ対の間に、カセットの凹型部に架設されたリボンを挟み入れる態様をとる。
リボンの両端は送出軸、巻取り軸に取り付けられている。したがって、リボンカセットの装着時には既にカセットに架設されたリボンをローラ対の間に脇から挟み入れなければならない。
またリボンカセットの離脱時には、リボンを切断してよい場合を除き、カセットに架設されたままのリボンをローラ対の間から脇へ引き出さなければならない。
以上のリボンカセットの着脱は、ヒートローラとバックアップローラとの間に隙間を空けた状態で行うことにより比較的容易に行うことができる。
【特許文献１】特開平１１−２４５５６５号公報
【発明の開示】
【発明が解決しようとする課題】
【０００４】
ところで、均一な圧力をカード及びリボンに負荷するためには、バックアップローラはヒートローラと平行に圧接する必要がある。そのための一つの方法として、バックアップローラをシーソー機構により傾動可能に支持する構造をとる場合がある。この場合、次のような問題があった。
リボンカセットの着脱のために、ヒートローラとバックアップローラとの間に隙間を空けた時、バックアップローラがシーソー機構により傾動して、バックアップローラの端部がヒートローラに接触する形で停止することがある。リボンの挿入、引き出し側のバックアップローラの端部がヒートローラに接触する形で停止してしまうと、上述のようにしてリボンを両ローラ間に挟み入れたり、引き出したりするには、両ローラの互いに接触した部分を通過させる必要があるから、リボンを両ローラ間に挟み入れたり、引き出したりすることが困難となる。
無理に挟み入れ又は引き出そうとすれば、リボンにローラが干渉し、リボンの折れ・シワ、保護膜の剥がれなどの損傷が生じる。保護膜が剥がれた場合にあっては、剥落した保護膜がガード搬送面に飛散して、その後の生産におけるカード表面へのゴミの付着の原因となり、品質劣化、歩留まりの低下を招いていた。
【０００５】
本発明は以上の従来技術における問題に鑑みてなされたものであって、リボンを挟む少なくとも一方のローラがシーソー機構により傾動可能に支持された構成を有し、カードの表面に保護膜を転写するカード作成装置においてリボンカセットの着脱を容易にすることを課題とする。
【課題を解決するための手段】
【０００６】
以上の課題を解決するための請求項１記載の発明は、互いに圧接・乖離する２つのローラを備え、そのうち少なくともいずれか一方のローラがシーソー機構により前記圧接・乖離方向に傾動可能に支持され、
着脱自在のリボンカセットが装着されて該リボンカセットから繰り出されるリボンとカードとを重ねて前記両ローラで挟み込むことにより、前記リボン上の保護膜を前記カードの表面へ転写するカード作成装置において、
前記シーソー機構は、少なくともリボンカセットの着脱のための前記両ローラの乖離時に、リボンの前記両ローラ間への挿入及び前記両ローラ間からの引き出しを行う側において前記両ローラ間の距離が大きくなる一定方向にローラを傾動させることを特徴とするカード作成装置である。
【０００７】
したがって請求項１記載の発明によれば、シーソー機構は、少なくともリボンカセットの着脱のための両ローラの乖離時に、リボンの両ローラ間への挿入及び両ローラ間からの引き出しを行う側において両ローラ間の距離が大きくなる一定方向にローラを傾動させる。すなわち、シーソー機構は少なくともリボンカセットの着脱のための両ローラの乖離時において、一定方向に傾くようにされており、その両ローラ乖離時の傾動動作により、ローラ対の両端のうち大きく開く一端は定まっており、この一端側においてリボンをローラ間へ挿入し、引き出すように構成している。
そのため、ローラに干渉することなくリボンカセット装着時にリボンを両ローラ間に挿入することが容易となり、ローラに干渉することなくリボンカセット離脱時にリボンを両ローラ間から引き出すことが容易となる。したがって、リボンカセット着脱時におけるローラの干渉によるリボンの折れ・シワや保護膜の剥がれなどの損傷の機会を減少させることができる。リボンからの保護膜の剥落に原因するカード表面へのゴミの付着を減少させることができる。
【０００８】
請求項２記載の発明は、互いに圧接・乖離する上下に配置された２つのローラを備え、そのうち少なくとも下側のローラがシーソー機構により前記圧接・乖離方向に傾動可能に支持され、
着脱自在のリボンカセットが装着されて該リボンカセットから繰り出されるリボンとカードとを重ねて前記両ローラで挟み込むことにより、前記リボン上の保護膜を前記カードの表面へ転写するカード作成装置において、
前記シーソー機構が支持する下側のローラを含む被支持体の重心は該シーソー機構の支点よりも、リボンの前記両ローラ間への挿入及び前記両ローラ間からの引き出しを行う側寄りにあることを特徴とするカード作成装置である。
【０００９】
したがって請求項２記載の発明によれば、ローラを含む被支持体の自重によりローラが一定方向に傾くようにされており、両ローラ乖離時の自重による下側のローラの傾動動作により、ローラ対の両端のうち大きく開く一端は定まっており、この一端側においてリボンをローラ間へ挿入し、引き出すように構成している。
そのため、ローラに干渉することなくリボンカセット装着時にリボンを両ローラ間に挿入することが容易となり、ローラに干渉することなくリボンカセット離脱時にリボンを両ローラ間から引き出すことが容易となる。したがって、リボンカセット着脱時におけるローラの干渉によるリボンの折れ・シワや保護膜の剥がれなどの損傷の機会を減少させることができる。リボンからの保護膜の剥落に原因するカード表面へのゴミの付着を減少させることができる。
本発明によれば、前記両ローラが上下に配置された一般的な構成において、被支持体の支点と重心を一定方向にずらすという簡素な構成により上記課題を解決することができるという利点がある。
【発明の効果】
【００１０】
上述したように本発明によれば、ローラに干渉することなくリボンカセット装着時にリボンを両ローラ間に挿入することが容易となり、ローラに干渉することなくリボンカセット離脱時にリボンを両ローラ間から引き出すことが容易となり、従って、リボンカセット着脱時におけるローラの干渉によるリボンの折れ・シワや保護膜の剥がれなどの損傷の機会を減少させることができ、リボンからの保護膜の剥落に原因するカード表面へのゴミの付着を減少させることができ、その結果、カードの表面に保護膜を形成するカード作成装置においてリボンカセットの着脱が容易になるという効果がある。
【発明を実施するための最良の形態】
【００１１】
以下に本発明の一実施の形態につき図面を参照して説明する。以下は本発明の一実施形態であって本発明を限定するものではない。
【００１２】
図１は、本実施形態のホットスタンプ装置の正面図である。図１に示すように、本実施形態のホットスタンプ装置は、送出側カード積載部１から出口２まで一直線にカード搬送路が形成されており、このカード搬送路を境に下部３にはベルト駆動される搬送装置が構成され、上部４には主にリボンカセットＣの装着部が構成される。カード搬送路に接するように、下部３側にバックアップローラ５が、上部４側にヒートローラ６、冷却ローラ７が配置されている。
【００１３】
リボンＲの一部として、送出軸Ｓ１に巻回された元巻部ｒ１と、元巻部ｒ１から延出する延出部ｒ２が図示される。リボンカセットＣには凹部Ｂが形成され、凹部Ｂの両端に繰出端Ｐ１及び回収端Ｐ２が形成されている。リボンＲの延出部ｒ２は繰出端Ｐ１から回収端Ｐ２まで掛け渡されて再びカセットＣ内に入り、巻取り軸Ｓ２に巻き取られる。巻取り軸Ｓ２は、下部３の搬送装置と同期して回転駆動される。
繰出端Ｐ１と回収端Ｐ２の間に架設されたリボンＲを架設部ｒ３とする。架設部ｒ３は、カード搬送路に沿ってヒートローラ６とバックアップローラ５の間、冷却ローラ７と搬送ローラ８の間を通して配置される。
リボンＲには硬化箔が付設されている。硬化箔は架設部ｒ３において下向きのリボン基材表面に付設されている。
【００１４】
送出側カード積載部１から出口２に向かって搬送されるカード（図示せず）は、繰出端Ｐ１でリボンＲと合わさりながら、リボンＲとともに破線部Ａに送られる。カードが破線部Ａを通過するときヒートローラ６が下降し、リボンＲの架設部ｒ３を介してカードにヒートローラ６が押し付けられ、このときカード背面をバックアップローラ５が支持する。ヒートローラ６の押圧により、リボンＲの硬化箔はカード表面に溶着し、破線部Ａを出た後、冷却ローラ７により冷却されてカード表面に硬化定着する。その後、回収端Ｐ２で硬化箔はリボン基材と分かれてカードとともに出口２から搬出される。以上のようにして硬化箔がカード表面に熱転写され保護膜となる。
【００１５】
図２は、図１における破線部Ａの側面図である。図２に示すように、ヒートローラ６はそのローラ軸上であってローラ範囲外（図上右方）に設けられた支点ｂ１を中心に回動することにより上下動する。平行に上下動する機構を採用しても良い。
【００１６】
バックアップローラ５の回転軸はフレームＦに支持されている。バックアップローラ５及びフレームＦによりフレームローラＦＲが構成される。このフレームローラＦＲはほぼその中央に位置する支点ｂ２で軸支され、シーソー機構が構成される。このシーソー機構によりバックアップローラ５及びフレームＦからなるフレームローラＦＲが傾動可能に支持されている。この傾動方向は、ヒートローラ６の上下動の方向、すなわち、両ローラ５，６が圧接・乖離する方向と同一である。
【００１７】
シーソー機構の被支持体であるフレームローラＦＲの重心Ｇは支点ｂ２より図上左方寄りに位置する。図上左方側からリボンＲの架設部ｒ３を両ローラ間に挿入し、又、両ローラ間に配置された架設部ｒ３を図上左方側へ引き出す。
【００１８】
以上のように構成するので、ヒートローラ６が上昇し、フレームローラＦＲがフリーになると、このフレームローラＦＲは自重により図上左方のリボン挿入・引出し側が下がるように傾動して停止する（図２に示す状態）。
リボンカセットＣの着脱は、ヒートローラ６が上昇した状態で本ホットスタンプ装置を停止させて行う。
したがって、図２に示すごとく、リボン挿入・引出し側の両ローラ５，６の間の隙間は大きくとられ、バックアップローラ５、ヒートローラ６に干渉することなくリボンＲの架設部ｒ３の挿入及び引き出しが容易に行える。
【００１９】
以上の実施形態にあっては、ヒートローラ６が上昇してバックアップローラ５と乖離すると、バックアップローラ５を含むフレームローラＦＲがリボン挿入・引出し側を下げるように傾動するが、本発明としては、少なくともリボンカセットＣの着脱のための両ローラ５，６の乖離時に、リボン挿入・引出し側において両ローラ５，６間の距離が大きくなる一定方向にローラを傾動させればよい。したがって、保護膜熱転写動作時のヒートローラ６の上昇に際しては、一定方向に傾動するようにしなくてもよい。リボンカセットＣの着脱のための両ローラ５，６の乖離時のみにリボン挿入・引出し側において両ローラ５，６間の距離が大きくなる一定方向にローラを傾動させる外力を作用させる機械構造を採用してもよい。
しかし、上記実施形態によれば、特別な機械構造は要らず、シーソー機構の被支持体の重心を支点からずらすことにより簡素に構成できる。
既存のバランスの取れたシーソー機構に対しては、支点よりリボン挿入・引出し側にウエイトをつけてもよいし、支点をリボン挿入・引出し側の反対側へ移しても、上記実施形態を実施できる。
【００２０】
上記実施形態にあっては、両ローラ５，６のうちバックアップローラ６のみをシーソー機構により支持したが、両ローラにシーソー機構を採用してもよい。両ローラにシーソー機構を採用するとリボン支持面が不安定になるため、通常、シーソー機構を採用するのは片側であり、ヒートローラに比して軽量に構成されるバックアップローラに採用する方が構成しやすい。
【００２１】
上記実施形態にあっては、両ローラ５，６を上下に配置したが、両ローラを左右水平に配置してもよい。この場合、上記実施形態のように自重によって一定方向に傾動させることができないので、一定方向の傾動が起こるようにシーソー機構の被支持体をバネなどにより付勢するなどすれば本発明を実施できる。
【図面の簡単な説明】
【００２２】
【図１】本発明実施形態のホットスタンプ装置の正面図である。
【図２】図１における破線部Ａの側面図である。
【符号の説明】
【００２３】
１…送出側カード積載部  ２…出口  ５…バックアップローラ  ６…ヒートローラ  ７…冷却ローラ  Ｃ…リボンカセット  Ｒ…リボン  ｂ２…シーソー機構の支点  Ｇ…シーソー機構の被支持体の重心
【図１】
2005224979.tif 000003
【図２】
2005224979.tif 000004